(57)【特許請求の範囲】
【請求項１】
配管を通すため壁に開けられた貫通孔と、
前記貫通孔の内周に設置される貫通スリーブと、
前記貫通孔の端部を覆う貫通孔化粧カバーと、
を備え、
前記貫通孔化粧カバーは、
径方向に拡がるフランジ形状、且つ、開口部を有することで環状をなすカバー部と、
前記配管を固定するために、前記カバー部の前記開口部と連続して該カバー部の軸方向に突出して設けられた筒状の固定部と、
前記貫通スリーブの内周に沿って差し込んで前記貫通孔化粧カバー全体を固定するために、前記カバー部の前記開口部と連続して、前記軸方向で前記固定部と逆向きに突出して設けられた筒状の差し込み部と、
前記カバー部の前記差し込み部側面に設けられる、前記貫通スリーブの端縁を収容可能な環状の凹部と、を有してなり、
前記貫通孔化粧カバーの前記凹部にシール用充填剤が充填されることで、前記カバー部と前記壁と前記貫通スリーブの間に生じる隙間がふさがれることを特徴とする貫通孔化粧カバーの取付構造。
【請求項２】
前記差し込み部の軸方向の長さが、前記貫通スリーブの軸方向の長さよりも短いことを特徴とする請求項１に記載する貫通孔化粧カバーの取付構造。
【請求項３】
前記固定部は、前記軸方向の長さが４０ｍｍ以上であることを特徴とする請求項１または請求項２に記載する貫通孔化粧カバーの取付構造。
【請求項４】
前記固定部の外周面には、周状のノッチが少なくとも１つ設けられていることを特徴とする請求項１から請求項３のうちのいずれか一項に記載する貫通孔化粧カバーの取付構造。
【請求項５】
前記凹部の内周側の壁は、前記差し込み部の外周面によって構成されることを特徴とする請求項１から請求項４のうちのいずれか一項に記載する貫通孔化粧カバーの取付構造。
【請求項６】
前記凹部は、前記軸方向の深さが５ｍｍ以上となることを特徴とする請求項５に記載する貫通孔化粧カバーの取付構造。
【請求項７】
前記凹部において、前記内周側の壁と外周側の壁との距離が１０ｍｍ以上であることを特徴とする請求項４から請求項６のうちいずれか一の請求項に記載する貫通孔化粧カバーの取付構造。
【請求項８】
前記固定部は、円筒状であることを特徴とする請求項１から請求項７のうちいずれか一の請求項に記載する貫通孔化粧カバーの取付構造。
【請求項９】
前記差し込み部は、円筒状であることを特徴とする請求項１から請求項８のうちいずれか一の請求項に記載する貫通孔化粧カバーの取付構造。
【請求項１０】
壁に開けた貫通孔の内周に設置される貫通スリーブに対して、貫通孔化粧カバーを用いて配管を通すため空調システムの配管の設置方法であって、
前記貫通孔化粧カバーは、
径方向に拡がるフランジ形状、且つ、開口部を有することで環状をなすカバー部と、
前記配管を固定するために、前記カバー部の前記開口部と連続して該カバー部の軸方向に突出して設けられた筒状の固定部と、
前記貫通スリーブの内周に沿って差し込んで前記貫通孔化粧カバー全体を固定するために、前記カバー部の前記開口部と連続して、前記軸方向で前記固定部と逆向きに突出して設けられた筒状の差し込み部と、
前記カバー部の前記差し込み部側面に設けられる、前記貫通スリーブの端縁を収容可能な環状の凹部と、を有してなり、
前記貫通孔化粧カバーの前記凹部にシール用充填剤を充填するステップと、
前記筒状の差し込み部を前記貫通スリーブに挿入することで、前記カバー部によって前記貫通スリーブの端面を覆い隠すとともに、前記シール用充填剤により前記カバー部と前記壁と前記貫通スリーブの間に生じる隙間をふさぐステップと、
前記筒状の固定部に、前記カバー部、前記差し込み部、前記固定部内に挿入されている前記空調システム用の配管を固定するステップと、
を有することを特徴とする空調システム配管の設置方法。
【発明の詳細な説明】
【技術分野】
【０００１】
本発明は貫通孔化粧カバーおよび貫通孔化粧カバーを用いた配管の設置方法に関し、例えばエアコンの配管を設置する際の技術に関する。
【背景技術】
【０００２】
空調システム、いわゆるエアコンを冷房運転すると、室内機内部の蒸発器（アルミのフィン）が低温となり、水滴が付着する。この水をドレンパンと呼ばれる受け皿で受けて、ドレン管と呼ばれるホースを通じて室外に排水する。さらにエアコンはフロン類、たとえばクロロフルオロカーボン（ＣＦＣ）や、ハイドロフルオロカーボン（ＨＦＣ）等の冷媒を室内機と室外機の間で行き来させるため、冷媒用管（ガス管および液管）を室内機と室外機の間に配管する必要がある。また室内機を操作することにより、室外機も連動して運転するように、制御ケーブル等を接続しなければならない。このようにエアコンを設置する際には、空調システムを構成する室外機と室内機を接続するため、一般に壁を貫通させての配管工事がおこなわれる。
【０００３】
図５（Ａ）は、エアコンにおける室内機と室外機の従来の屋外配管を示す。エアコン室内機１５０とエアコン室外機１６０は、ドレン管１１０、冷媒用管１２０、制御ケーブル等を保護用テープ１３０で巻いてまとめた配管１４０で接続される。配管１４０は、壁に開けられた貫通孔２００を通じて屋外から室内に導かれるが、貫通孔２００には貫通スリーブ（壁スリーブ）１００と呼ばれる筒状の治具を設置する。そして室内、屋外それぞれの開口部に貫通孔２００の端部を覆う化粧カバー１７０をとりつけ、化粧カバー１７０と配管１４０の間に生じた隙間９５を粘土状のパテ９０で埋める（図５（Ａ）、図５（Ｂ）参照）。
【先行技術文献】
【特許文献】
【０００４】
【特許文献１】特開２００８−２９１８９９号公報
【発明の概要】
【発明が解決しようとする課題】
【０００５】
図６（Ａ）は、エアコンにおける従来の配管工事を行った壁を示す。壁１８０に開けられた貫通孔２００には貫通スリーブ１００が設置され、その中をドレン管１１０や冷媒用管１２０等が通される。ここでは液管とガス管をまとめて一つの管として描画している。貫通スリーブ１００の両端部には、美観を整えるために化粧カバー１７０が取り付けられる。冷媒用管１２０は保温が必要なため、発泡ポリエチレン等でできた断熱材を巻いた上で、ドレン管１１０を含めたすべての管をキャンバステープと呼ばれる保護用テープ１３０でまとめて配管１４０とする。このとき化粧カバー１７０の開口部と配管１４０の隙間９５から雨水、埃、蚊などの昆虫等が侵入することを防ぐために、シール用充填剤、例えばパテ９０で隙間９５を埋める。
【０００６】
しかしながら、従来の空調用配管工事をおこなった場合の貫通孔２００近傍を示す図６（Ｂ）のように、パテ９０で隙間９５を埋める従来の工法は、美観を大きく損ねる。また、パテ９０表面には粘着性があるため、埃等が付着して黒く汚れてしまうという問題点がある。さらに屋外では風雨や日光にさらされるため、パテ９０の油分が抜けた数年後には、劣化してしまって隙間９５の封止が解けてしまう可能性もある。上記の欠点を補うために、パテ９０で埋めた部分を別の化粧カバーでさらに覆うという工法もあるが、部品点数の増加が避けられず、また配管工事自体も面倒になる（例えば、特許文献１参照）。
【０００７】
本発明は、斯かる実情に鑑み、配管工事を容易にし、かつ貫通孔２００近傍の美観を向上させる貫通孔化粧カバー、および、それを用いた空調システム配管方法を提供しようとするものである。
【課題を解決するための手段】
【０００８】
（１）本発明は、配管を通すため壁に開けられた貫通孔の端部を覆う貫通孔化粧カバーであって、径方向に拡がるフランジ形状、且つ、環状のカバー部と、前記配管を固定するために、前記カバー部の開口部と連続して該カバー部の軸方向に突出して設けられた筒状の固定部と、前記貫通孔に差し込んで前記貫通孔化粧カバー全体を固定するために、前記カバー部の前記開口部と連続して、前記軸方向で前記固定部と逆向きに突出して設けられた筒状の差し込み部と、を備えることを特徴とする貫通孔化粧カバーを提供する。
【０００９】
上記（１）に記載する発明によれば、貫通孔の端部を覆う貫通孔化粧カバーと、エアコンの室内機と室外機を接続する配管の間に生じる隙間を、フランジ状のカバー部から連続して設けられた固定部とそこから伸びる管をまたぐようにして保護テープを巻くことで固定封止することが可能になるので、パテ等のシール用充填剤がむき出しになって美観を損ねることも無く、また配管工事自体も容易にできる。
【００１０】
（２）本発明は、前記固定部は、前記軸方向の長さが４０ｍｍ以上であることを特徴とする上記（１）に記載する貫通孔化粧カバーを提供する。
【００１１】
上記（２）に記載する発明によれば、配管工事で使用される保護テープの幅は５０ｍｍ以上のものが多いので、固定部とそこから伸びる管をまとめて巻く際、固定部に十分な幅のテープを巻き付ける長さを確保でき、確実に固定することができる。
【００１２】
（３）本発明は前記固定部の外周面には、周状のノッチが少なくとも１つ設けられていることを特徴とする上記（１）または（２）に記載する貫通孔化粧カバーを提供する。
【００１３】
上記（３）に記載する発明によれば、ノッチをガイドとして固定部をカットすることが容易になるので、施工する管の柔軟性や、施工場所に合わせて最適な長さの固定部を持つ貫通孔化粧カバーが容易に、かつ、きれいに現場で作成可能となる。また周状にノッチがあることから、保護用テープで、ドレン管や、断熱材を巻いた冷媒用管等を束ねて固定部に固定する際に、滑り止めの効果も期待できる。
【００１４】
（４）本発明は、前記カバー部の前記差し込み部側には、前記カバー部と前記壁との間に生じる隙間をふさぐシール用充填剤を充填するための凹部を備えることを特徴とする請上記（１）乃至（３）のうちいずれかに記載する貫通孔化粧カバーを提供する。
【００１５】
上記（４）に記載する発明によれば、貫通スリーブと、貫通スリーブに差し込まれた貫通孔化粧カバーに設けられた差し込み部の間に生じるわずかな隙間でさえも、前記凹部に充填されたシール用充填剤により封止することができ、またそのシール用充填剤はカバー部によって、外からは隠されているので、美観を損なうこと無く、また耐久性も向上し、屋外から室内への雨水や埃、昆虫などの侵入を防ぐことができる。
【００１６】
（５）本発明は、前記凹部の内周側の壁が、前記差し込み部の外周面によって構成されていることを特徴とする上記（４）に記載する貫通孔化粧カバーを提供する。
【００１７】
上記（５）に記載する発明によれば、シール用充填剤を凹部に充填して差し込み部を貫通スリーブに挿入した際、シール用充填剤の逃げ方向の一つが、差し込み部外周面と差し込み部が挿入される貫通スリーブ内壁面との隙間方向となり、最大で差し込み部の軸方向長さ分だけのシールが得られるという効果を奏する。
【００１８】
（６）本発明は、前記凹部が、前記軸方向の深さが５ｍｍ以上となることを特徴とする上記（４）または（５）に記載する貫通孔化粧カバーを提供する。
【００１９】
上記（６）に記載する発明によれば、差し込み部の端部と貫通スリーブの間に生じる隙間を埋めるために必要な量のシール用充填剤を凹部に充填することができる。
【００２０】
（７）本発明は、前記凹部において、前記内周側の壁と外周側の壁との距離が１０ｍｍ以上であることを特徴とする上記（４）乃至（６）のうちいずれかに記載する貫通孔化粧カバーを提供する。
【００２１】
上記（７）に記載する発明によれば、差し込み部の端部と貫通スリーブの間に生じる隙間を埋めるために必要な量のシール用充填剤を凹部に充填することができる。
【００２２】
（８）本発明は、前記固定部は、円筒状であることを特徴とする上記（１）乃至（７）のうちいずれかに記載する貫通孔化粧カバーを提供する。
【００２３】
上記（８）に記載の発明によれば、保護用テープでドレン管や冷媒用管を巻いて貫通孔化粧カバーに固定する際に、円筒状の固定部の周方向に保護用テープを均一な力で巻き付けて固定することが可能なので、貫通用化粧カバーとドレン管や冷媒用管の間に生じる隙間を確実に封止することができる
【００２４】
（９）本発明は、前記差し込み部は、円筒状であることを特徴とする上記（１）乃至（８）のうちいずれかに記載する貫通孔化粧カバーを提供する。
【００２５】
上記（９）に記載の発明によれば、壁に開けられた貫通穴に設置する円筒状の貫通スリーブの規格に合わせて、カバー部の軸に垂直な断面外周が円状の差し込み部を実現でき、貫通スリーブと差し込み部の間に生じる隙間を均一で最小限にすることが可能になる。
【００２６】
（１０）本発明は、配管を通すため壁に開けた貫通孔に対する、空調システムの配管の設置方法であって、フランジ状のカバー部を有する貫通孔化粧カバーと前記壁との間に生じる隙間をふさぐため、前記カバー部に設けられた凹部に、シール用充填剤を充填するステップと、前記カバー部の壁側に突出して設けられる筒状の差し込み部を貫通孔に挿入するステップと、前記カバー部から壁と逆側に突出した筒状の固定部に、前記カバー部、前記差し込み部、前記固定部内に挿入されている前記空調システム用の配管を固定するステップと、を有することを特徴とする空調システム配管の設置方法を提供する。
【００２７】
上記（１０）に記載する空調システム配管の設置方法によれば、配管工事を容易にし、且つ、従来の工法よりも貫通孔近傍の美観を向上させる優れた効果を奏する。
【発明の効果】
【００２８】
本発明の上記（１）〜（１０）に記載の貫通孔化粧カバーおよび空調システム配管の設置方法によれば、配管工事を容易にし、かつ従来の工法よりも貫通孔近傍の美観を向上させる優れた効果を奏する。
【図面の簡単な説明】
【００２９】
【図１】本発明の実施形態に係る貫通孔化粧カバーの斜視図である。
【図２】（Ａ）貫通孔化粧カバーの正面図である。（Ｂ）貫通孔化粧カバーの上面図である。（Ｃ）貫通孔化粧カバーの底面図である。
【図３】貫通孔化粧カバーのＡＡ矢視断面図である。
【図４】（Ａ）貫通孔化粧カバーを用いて空調用の配管工事を行った壁の断面図である。（Ｂ）貫通孔化粧カバーを用いた場合の貫通孔近傍の正面図である。
【図５】（Ａ）空調装置における室内機と室外機の従来の配管を屋外からみた概念図である。（Ｂ）空調装置における室内機と室外機の従来の配管を室内からみた概念図である。
【図６】（Ａ）空調装置における従来の配管工事を行った壁の断面図である。（Ｂ）従来の空調用配管工事をおこなった場合の貫通孔近傍の正面図である。
【発明を実施するための形態】
【００３０】
以下、本発明の実施の形態を添付図面を参照して説明する。図１〜図４は発明を実施する形態の一例であって、図中、同一の符号を付した部分は同一物を表わす。なお、各図において一部の構成を適宜省略して、図面を簡略化する。そして、部材の大きさ、形状、厚みなどを適宜誇張して表現する。
【００３１】
図１は、本発明の実施形態に係る貫通孔化粧カバー１である。貫通孔化粧カバー１は、配管を通すため壁に開けられた貫通孔２００の端部を覆う貫通孔化粧カバー１であって、カバー部２０と、固定部１０と、差し込み部３０で構成される。固定部１０と差し込み部３０は、同軸上に形成されることが望ましい。貫通孔化粧カバー１は、ポリエチレン等の合成樹脂や硬質プラスチックで一体成型される。貫通孔化粧カバー１は、金属や、合成樹脂と金属等との組み合わせで構成されても良い。
【００３２】
カバー部２０は、貫通孔２００の端部を覆うように、径方向に広がるフランジ状となっており、その中央に開口部を有することで環状をなす。
【００３３】
カバー部２０の差し込み部側面２１Ａに差し込み部３０が設けられ、カバー部２０の固定部側面２１Ｂに固定部１０が設けられる。フランジ状をなすカバー部２０の径方向の外縁は、後述する固定部、差し込み部より大きい径を有する。
【００３４】
固定部１０は筒状であり、カバー部２０の開口部と連続してカバー部２０の軸方向に突出して設けられる。固定部１０は、カバー部２０の軸方向の長さが４０ｍｍ以上であり、後述するように、固定部１０に保護用テープ１３０を巻き付けることで、配管１４０と貫通孔化粧カバー１の隙間１２５を封止するとともに、配管１４０を固定するために用いられる。固定部１０は円筒状であることが望ましい。保護用テープ１３０でドレン管１１０や冷媒用管１２０を巻いて貫通孔化粧カバー１に固定する際に、円筒状の固定部１０の周方向に保護用テープ１３０を均一な力で巻き付けて固定することが可能なので、貫通用化粧カバー１とドレン管１１０や冷媒用管１２０の間に生じる隙間１２５を確実に封止することができるからである。
【００３５】
固定部１０の外周面には、周方向にカットラインとして周状のノッチ４０が少なくとも１つ設けられている。ノッチ４０をガイドとして固定部１０をカットすることが容易になるので、施工する管の柔軟性や、施工場所に合わせて最適な長さの固定部１０を持つ貫通孔化粧カバー１が容易に、かつ、きれいに現場で作成可能となる。また周状にノッチ４０があることから、保護用テープ１３０で、ドレン管１１０や、断熱材を巻いた冷媒用管１２０等を束ねて固定部１１０に固定する際に、滑り止めの効果も期待できる。
【００３６】
差し込み部３０は、筒状であり、カバー部２０の開口部と連続して、カバー部２０の軸方向で固定部１０と逆向きに突出して設けられる。差し込み部３０は、貫通孔２００に差し込んで貫通孔化粧カバー１全体を固定するために用いられる。差し込み部３０は円筒状であることが望ましい。壁に開けられた貫通穴２００に設置する円筒状の貫通スリーブ１００の規格に合わせて、カバー部２０の軸に垂直な断面外周が円状の差し込み部３０を実現でき、貫通スリーブ１００と差し込み部３０の間に生じる隙間１１５を均一で最小限にすることが可能になる。
【００３７】
図１（Ａ）は、固定部１０側から見た貫通孔化粧カバー１を表している。カバー部２０の径方向外側周縁部には、複数のビス穴用凹部５０が設けられ、必要であればこのビス穴用凹部５０を通してビスでカバー部２０を壁１８０（図４参照）に固定することができる。ドレン管１１０等からなる配管１４０は、配管用穴部６０を通して室内機１５０と室外機１６０を接続する。
【００３８】
図１（Ｂ）は、差し込み部３０側から見た貫通孔化粧カバー１を表している。カバー部２０の差し込み部側面２１Ａには、カバー部２０の軸方向の深さ５ｍｍ以上の凹部７０が周状に設けられる。凹部７０の内周側の壁７１は、差し込み部３０の外周面によって構成される。ただし本発明はこれに限定されず、差し込み部３０から径方向に離れた場所に凹部７０を形成しても良い。凹部７０には、カバー部２０と壁１８０との間に生じる隙間１１５をふさぐシール用充填剤を充填するために用いられる。また凹部７０は、カバー部２０の軸に垂直な断面における内周側の壁７１と外周側の壁７２との間の距離Ｗが１０ｍｍ以上である。シール用充填剤としてはパテ９０またはシリコーンなどのコーキング（シーリング）材が考えられる。
【００３９】
なお図１（Ａ）の凸部８０は、凹部７０の裏側に相当する。
【００４０】
図２（Ａ）は、貫通孔化粧カバー１の正面図である。なお、貫通孔化粧カバー１は、軸対称に形成されているので、正面図と背面図、右側面図、左側面図は同一となる。図２（Ａ）では固定部１０のカバー部２０の軸に垂直な断面における外周直径は、差し込み部３０の外周直径よりわずかに小さいが、逆に固定部１０の外周直径が差し込み部３０の外周直径より大きくても良く、また、同一であっても良い。
【００４１】
図２（Ｂ）は、貫通孔化粧カバー１の上面図である。カバー部２０にはビス穴用凹部５０が複数設けられ、必要な場合にはビス穴用凹部５０を通してビスで貫通孔化粧カバー１を壁に固定する。
【００４２】
図２（Ｃ）は、貫通孔化粧カバー１の底面図である。差し込み部３０の外周に沿って、凹部７０が設けられている。差し込み部３０の外径は、貫通スリーブ１００の内径より若干小さく設計されているので、差し込み部３０と貫通スリーブ１００の間の隙間１１５は小さく、差し込み部３０を押し込むことで、差し込み部３０の外周に沿って設けられた凹部７０のパテ９０またはコーキング材により、効果的に差し込み部３０と貫通スリーブ１００の間の隙間１１５やカバー部２０と壁１８０の間の隙間１１６が埋められることになる（図４参照）。
【００４３】
図３は、図２（Ｂ）における貫通孔化粧カバー１のＡＡ矢視断面図である。差し込み部３０の内径は固定部１０の内径より、若干大きく、差し込み部３０の外径は固定部１０の外径より若干大きい。ただし差し込み部３０と固定部１０の内径、外径の大小は、ドレン管１１０等を挿入することができれば任意で良い。パテ９０等は凹部７０に充填されて、差し込み部３０と貫通スリーブ１００の間に生じる隙間１１５を埋める。
【００４４】
次に、上記した実施の形態に係る貫通孔化粧カバー１の配管工事における使用方法を図４（Ａ）で説明する。
【００４５】
まず貫通孔２００に貫通スリーブ１００を設置し、その中を通してエアコン室内機１５０から、空調システム用の配管であるドレン管１１０、冷媒用管１２０等を屋外に導く。ここでは液管とガス管をまとめて一つの管として描画している。このとき貫通孔化粧カバー１の配管用穴部６０（図１参照）にもドレン管１１０、冷媒用管１２０を通す。すなわち貫通孔化粧カバー１を構成する固定部１０、カバー部２０、差し込み部３０の開口部にドレン管１１０、冷媒用管１２０等を挿入する。冷媒用管１２０として、具体的には液管（図示省略）とガス管（図示省略）があるが、これらの長さを適切に加工した後に、室外機へつなぎ込み、真空引き、気密試験、冷媒ガス漏洩検査等を行う。そして貫通孔化粧カバー１の壁側に設けられた凹部７０にパテ９０を充填して、差し込み部３０を貫通スリーブ１００に差し込む。貫通スリーブ１００と、貫通スリーブ１００に差し込まれた差し込み部３０の間に生じる隙間１１５は、前記凹部７０に充填されたパテ９０等のシール用充填剤により封止することができる。シール用充填剤はカバー部２０によって、外からは隠されているので、美観を損なうこと無くまた耐久性も向上し、貫通孔化粧カバー１と壁１８０との間に生じる隙間をふさぐため、屋外から室内への雨水や埃、昆虫などの侵入を防ぐことができる効果を奏する。
【００４６】
なお必要であればビス穴用凹部５０を通して、ステンビス等で貫通孔化粧カバー１を壁１８０に固定する。
【００４７】
液管とガス管にそれぞれ断熱材を巻き付け、ドレン管１１０を排水孔等に導いた後、ドレン管１１０、冷媒用管１２０、制御ケーブル等をキャンバステープと呼ばれる粘着性または非粘着性の保護用テープ１３０で巻いて固定する。貫通孔２００の端部を覆う貫通孔化粧カバー１と、室内機１５０と室外機１６０を接続する管の間に生じる隙間１２５を、貫通孔化粧カバー１から連続して設けられた固定部１０から保護テープ１３０を巻くことで固定封止することが可能になるので、パテ９０等のシール用充填剤がむき出しになって美観を損ねることも無く、また配管工事自体も容易にできる。
【００４８】
図４（Ｂ）に貫通孔化粧カバー１に固定した配管１４０を示す。図４（Ｂ）で示すように、外側からパテ９０を盛っていないので美観が損なわれること無い。カバー部２０裏にはパテ９０が充填されて、差し込み部３０と貫通スリーブ１００との隙間１１５を埋めているので、隙間１１５から雨水等が室内に侵入することも防がれている。加えて配管工事の際には、配管１４０を固定部１０に固定する際、保護用テープ１３０を巻き付けて固定するだけなので工事自体も簡便でしかも配管１４０と貫通孔化粧カバー１の間に間隙が生じにくい。
【００４９】
以上、本発明の貫通孔化粧カバーにおける実施形態について説明したが、本発明は説明した実施形態に限定されるものではなく、各請求項に記載した範囲において各種の変形を行うことが可能である。
【符号の説明】
【００５０】
１    貫通孔化粧カバー
１０    固定部
２０    カバー部
３０    差し込み部
４０    ノッチ
５０    ビス穴用凹部５０
６０    配管用穴部
７０    凹部
８０    凸部
９０    パテ
９５    隙間
１００    貫通スリーブ
１１０    ドレン管
１１５    隙間
１１６    隙間
１２０    冷媒用管
１２５    隙間
１３０    保護用テープ
１４０    配管
１５０    エアコン室内機
１６０    エアコン室外機
１７０    化粧カバー
１８０    壁
２００    貫通孔
【図１】
0006725987.tif 000002
【図２】
0006725987.tif 000003
【図３】
0006725987.tif 000004
【図４】
0006725987.tif 000005
【図５】
0006725987.tif 000006
【図６】
0006725987.tif 000007